(57)【要約】【課題】原料パックの交換作業を原液漏れを起こすことなく行なう。【解決手段】飲料ディスペンサ２０では、原料パック３０に連結されたジョイント４０が、抽出機構部３５に接続される。ジョイント４０にコック式開閉弁が設けられ、該コック式開閉弁はハンドル４０ｂにより開閉操作される。このハンドル４０ｂを開位置にしたとき、該ハンドル４０ｂと係合してジョイント４０を抽出機構部３５から抜去不能とするストッパ３７ａが抽出機構部３５に設けられる。これにより、ハンドル４０ｂを閉位置にした状態で原料パック３０を交換すれば、ジョイント４０から原料漏れを起こすことはない。【選択図】　図１
2004010057.tif 000002
【特許請求の範囲】
【請求項１】
原料パック（３０）に連結されたジョイント（４０）を抽出機構部（３５）に接続し、該原料パック（３０）内の原料を前記抽出機構部（３５）で抽出して容器（３１）に供給する飲料ディスペンサにおいて、
前記ジョイント（４０）にコック式開閉弁を設けると共に、該コック式開閉弁の開閉操作を行なうハンドル（４０ｂ）を開位置にしたとき、該ハンドル（４０ｂ）と係合して前記ジョイント（４０）を前記抽出機構部（３５）から抜去不能とするストッパ（３７ａ）を該抽出機構部（３５）に設けた
ことを特徴とする飲料ディスペンサ。
【請求項２】
前記注出機構部（３５）に設けられるポンプ（３７）は容積式である請求項１記載の飲料ディスペンサ。
【発明の詳細な説明】
【０００１】
【発明の属する技術分野】
本発明は、温水や冷水等で原液（原料）を希釈して飲料として提供する飲料ディスペンサに関し、更に詳細には、原液を入れた原料パックの交換作業を液漏れせずに容易に行なうことができる飲料ディスペンサに関するものである。
【０００２】
【従来の技術】
図５は、従来の飲料ディスペンサの構成図である。この飲料ディスペンサ１は、箱形筐体２の下部に、水を加温したり冷却して設定温度に調整するタンク３が設けられると共に、該筐体２の上部前面位置には原料パック４を収納する原料保管庫５が設けられている。この原料保管庫５は、前面に設けられたステンレス製の扉５ａによって開閉され、原料パック４の交換が行なわれるようになっている。原料保管庫５が設けられた上部筐体２ａは、タンク３が設けられた下部筐体２ｂより前方に張り出す形状となっており、この張り出した部分の上部筐体２ａ内の原料保管庫５下部に、抽出機構６が設けてある。
【０００３】
前記抽出機構６は、原料パック４から所要量の原液を抽出すると共に、この原液を希釈する温水や冷水をタンク３から導入し、図示しないコップ等の容器に注ぐものである。この抽出機構６の上端部には原料接続口８が設けられ、図６に示す如く、原料パック４の出口４ａにナット７ａによって連結されたジョイント７の先端部７ｂが、この原料接続口８に挿入されて接続される。なお、抽出機構６の下端部には、飲料をコップ等の容器に注ぐ注ぎ口９が設けられている。また抽出機構６の中央部分には、原料パック４の原液を吸い込んで絞り出す容積式ポンプ１０が設けられる。
【０００４】
前記タンク３の前側にはポンプモータ１１が設けられ、飲料注出時に起動されてタンク３内の温水等を抽出機構６の注ぎ口９に配管１２およびエルボ１３を介して供給するよう構成される。また、原料保管庫５の背面部には電装箱１４が設けられ、当該飲料ディスペンサ１の電装品（ポンプ１０の駆動モータや、ポンプモータ１１等）の駆動電源部や制御回路等が収納されている。更に、飲料ディスペンサ１の前面所定位置には、抽出回数を計数するカウンタ１５が設けられている。
【０００５】
【発明が解決しようとする課題】
前述した従来の飲料ディスペンサ１は、原料パック４を、単なる直状の配管でなるジョイント７で抽出機構６に連結し、Ｏリング１６が取り付けられたジョイント７の先端部７ｂと、抽出機構６の接続口８とをコの字状の金具１７（図５参照）で固定し、両者間が外れないようにしているに過ぎない。
【０００６】
このため、原料パック４を交換する場合は、コの字状の金具１７を取り外し、ジョイント７を接続口８から引き抜いて原料パック４を外すことになるが、原料パック４内に原液が残っていると、取り外し作業で原料パック４が傾いたとき等に残留原液がジョイント７から筐体２内に漏れ出てしまい、筐体２内の清掃が大変になるという問題がある。
【０００７】
また、新しい原料パック４を取り付ける場合には、原料パック４内の空気をできる限り少なくすることで、原料パック４内の原液を残量無く容積式ポンプ１０で抽出可能となるが、従来のジョイント７では、ジョイント７と抽出機構６との接続作業時に空気が原料パック４内に入らないようにするのが困難であるという問題が指摘される。
【０００８】
【発明の目的】
本発明は、従来の技術に係る飲料ディスペンサに内在している前記欠点に鑑み、これを好適に解決するべく提案されたものであって、原料が漏れたり、原料パック内に空気が入ったりすることなく原料パックの交換作業等を容易にできる飲料ディスペンサを提供することを目的とする。
【０００９】
【課題を解決するための手段】
前記課題を解決し、所期の目的を達成するため、本発明に係る飲料ディスペンサは、
原料パックに連結されたジョイントを抽出機構部に接続し、該原料パック内の原料を前記抽出機構部で抽出して容器に供給する飲料ディスペンサにおいて、
前記ジョイントにコック式開閉弁を設けると共に、該コック式開閉弁の開閉操作を行なうハンドルを開位置にしたとき、該ハンドルと係合して前記ジョイントを前記抽出機構部から抜去不能とするストッパを該抽出機構部に設けたことを特徴とする。
【００１０】
【発明の実施の形態】
次に、本発明に係る飲料ディスペンサにつき、好適な実施例を挙げて、添付図面を参照しながら以下説明する。
【００１１】
図１は、本発明の実施例に係る飲料ディスペンサの構成図である。この飲料ディスペンサ２０は、前面パネル２１で前面開口部が閉塞された矩形筐体２２を備え、この矩形筐体２２の後部側のほぼ大部分を占めるタンク２３が内蔵されている。筐体２２の前部上側には電装箱２５が収納され、また筐体２２の前部下側には、タンク２３内の温水あるいは冷水等を汲み出す容量式ポンプモータ２６が設けられている。
【００１２】
前記前面パネル２１の前側上端部にはフック２７が固設されており、このフック２７に原料パック３０が、その上部に設けられた穴３０ｂを介して吊り下げられるようになっている。樹脂製の板材でなる前面パネル２１には、該パネル２１の前側に吊り下げられた原料パック３０を収容する上側凹部２１ａと、抽出飲料が注がれる容器３１の逃げ部となる下側凹部２１ｂとが形成されており、筐体２２の前面開口部に図示しない留め具で取り付けられる。なお、この前面パネル２１を筐体２２から取り外すことで、筐体２２内部の電装箱２５，タンク２３，ポンプモータ２６を、飲料ディスペンサ２０の前側からメンテナンスできるようになっている。
【００１３】
前記前面パネル２１の上端部に固設されているフック２７には、ヒンジ３２が取り付けられており、このヒンジ３２を介して透明樹脂板でなる開閉カバー３３が前面パネル２１に対して開閉可能に配設される。すなわち、開閉カバー３３をヒンジ３２を支点として矢印Ａ方向に開放することで、前面パネル２１の前面が露出し、前記原料パック３０の交換を行ない得るようになっている。また、開閉カバー３３は透明なため、原料パック３０内の原液残量を該カバー３３を開放することなくディスペンサ前側から目視で確認可能となる。なお、開閉カバー３３は全体が透明である必要はなく、これを不透明板で構成する場合には、原料パック３０内の原液残量の状態が分かる窓を設けることでもよい。
【００１４】
従来は、原液の抽出回数を図５のカウンタ１５で計数して残量確認の目安としていたが、カウンタ１５の計数値から分かるのはあくまでも目安に過ぎず、原液量の少ない薄い飲料を容器３１に抽出して客に提供してしまうおそれがあったが、実施例の飲料ディスペンサ２０では、原液残量を容易に目視で確認できるため、常に同じ味の飲料を安心して客に提供できる。
【００１５】
前記前面パネル２１の中央前面部分には、抽出機構部３５が取り付けられている。本実施例の抽出機構部３５は、原料パック３０の出口３０ａに連結された後述するジョイント４０の先端部４０ｄが挿入される接続口３６と、容積式ポンプ３７と、注ぎ口３８と、容積式ポンプ３７と注ぎ口３８との間に配された配管３９とで構成され、容積式ポンプ３７で原料パック３０から吸い込まれ絞り出された原液が、配管３９から注ぎ口３８内に入ったタンク２３内の温水等で希釈され、容器３１内に注がれるようになっている。
【００１６】
また、前記筐体２２の底板前部には、ドリップパン２９が取り付けられており、この上に容器３１が載せられるようになっている。このように、原料パック３０が前面パネル２１の前側に取り付けられ、下部にドリップパン２９が配置される構造としているため、原料パック３０の交換時に原料パック３０から原液が漏れ出たとしても、原液の大部分はドリップパン２９に落ちてしまい、筐体２２の内部には入り込まないため、筐体２２内の清掃が容易となり、清潔を保つことが容易となる。
【００１７】
前記タンク２３には、水道水などの入口配管４１と、図示しないバルブに接続された排出管４２と、内部に立設されたオーバーフロー管４３とが取り付けられており、タンク２３内に導入された水道水等は、図示しない電熱ヒータで設定温度に加温されたり、冷却装置で冷却されるよう構成してある。このタンク２３内の温水等は、容量式ポンプモータ２６によって吸込管４４からタンク２３外に一旦吸い出された後、タンク２３内に設置されている注出配管４５に吐き出され、その注出配管４５の先端部４５ａが、前面パネル２１の背部に取り付けられている逆止弁４６を介して、前記抽出機構部３５の配管３９に接続される構成となっている。
【００１８】
この注出配管４５は、全体の内部容量が容器３１の一杯分の飲料が入る長さに構成されており、タンク２３から逆止弁４６に至る短い部分を除いた大部分がタンク２３内でコイル状に巻かれている。これにより、注出配管４５内の飲料の温度は、タンク２３内の飲料と同一温度に保たれ、外気温によって影響され難くなっている。このため、本実施例の飲料ディスペンサ２０では、常に、設定温度の飲料を容器３１に注ぐことができる。また、注出配管４５は、タンク２３から容易に取り外すことができる構成になっており、注出配管４５が詰まったときには、タンク２３を交換することなく、単に注出配管４５だけをタンク２３から取り外して交換すればよいようになっている。
【００１９】
前記タンク２３には、オーバーフロー管４３の上端面まで飲料を内部に溜めることができ、その水頭位置は、前記注ぎ口３８の位置より高い位置になっている。このため、注出配管４５の先端部４５ａにはタンク２３の水頭圧が掛かるが、この圧力は逆止弁４６によって阻止される。但し、この逆止弁４６は、水頭圧だけでは開弁せずに、ポンプモータ２６の吐出圧が加わったとき初めて開弁するよう設定される。なお、逆止弁４６のバネ圧を調整することで、逆止弁４６を通る温水等の流量を調整することができる構成となっている。
【００２０】
ここで、従来の図５に示す飲料ディスペンサ１では、止め弁を持たない配管１２から注ぎ口９に飲料がサイホン現象で漏れ出ないように、タンク３を注ぎ口９より下に配置した関係で、タンク容量が小さくなり、タンク９の上部に無駄なスペース１８ができてしまっている。しかし、本実施例の飲料ディスペンサ２０では、注出配管４５の出口端に逆止弁４６を設けた関係で、タンク２３の水頭位置を注ぎ口３８より高い位置にすることができ、これにより注出杯数を多くとれる大容量のタンク２３が搭載可能となり、無駄なスペースがないため小型で大容量の飲料ディスペンサ２０を構成することが可能となっている。
【００２１】
また、本実施例では、逆止弁４６を抽出機構部３５の注ぎ口３８に近接配置したため、飲料注出後に逆止弁４６と注ぎ口３８との間に残る飲料は非常に少なく、飲料抽出後の後ダレがなくなるという利点がある。また、本実施例のポンプモータ２６は容量式であるため、一回の飲料の抽出量を定量化でき、抽出作業が容易となる。
【００２２】
図２は、前記原料パック３０にジョイント４０を連結した状態を示す正面図である。この図に示した原料パック３０は正面図であり、図１に示す原料パック３０は側面図である。
【００２３】
直状の配管でなるジョイント４０の一端部にはナット４０ａが回転可能に取り付けられており、このナット４０ａを、原料パック３０の出口３０ａのネジ部に螺着することで、ジョイント４０を原料パック３０に取り付けるようになっている。このジョイント４０の略中央部には、直状配管を開閉するコック式開閉弁のハンドル４０ｂが取り付けられており、該ハンドル４０ｂを図２に示す位置、すなわちジョイント４０に対して直角位置にしたとき直状配管は閉鎖され、平行位置にしたとき（図４参照）、直状配管は開放されて連通状態となるよう構成されている。
【００２４】
図３は、前記ジョイント４０を接続した状態の抽出機構部３５の断面図であり、図４は、その抽出機構部３５の正面図である。なお、図３，図４では、ナット４０ａに連結された原料パック３０の図示は省略している。
【００２５】
前記ジョイント４０に設けられた前記のハンドル４０ｂは、その先端部４０ｃが、図３に示すように、ジョイント４０側に曲げられたＬ字形状を成している。また、抽出機構部３５の中核を成す容積式ポンプ３７の外周殻部には、前記ハンドル４０ｂの先端部４０ｃが係脱可能なストッパ３７ａが設けられている。そして、ジョイント４０の先端部４０ｄが抽出機構部３５の接続口３６に挿入された状態で、ハンドル４０ｂが開位置に開けられたとき、ハンドル先端部４０ｃがポンプ３７のストッパ３７ａと係合してハンドル４０ｂのそれ以上の回動が阻止されると共に、ジョイント４０の図３に示す矢印Ｂ方向、抽出機構部３５から抜ける方向への抜去が阻止される構成となっている。
【００２６】
すなわち、本実施例の抽出機構部３５では、ハンドル４０ｂを閉位置にして直状配管を閉塞状態にしなければジョイント４０を抽出機構部３５から抜き取ることはできず、ジョイント４０を抽出機構部３５に取り付けてもハンドル４０ｂを開位置（ジョイント４０の抜去不能状態）にしなければ、原料パック３０からの原料抽出は不可能な構成となっている。
【００２７】
前記電装箱２５内には、図示しないモータ駆動部が設けられている。このモータ駆動部は、商用のＡＣ電力を直流電力に変換し、ポンプ３７の駆動モータやポンプモータ２６を直流駆動する構成となっている。このように各モータを直流駆動とすることで、商用電源周波数の違いによる飲料ディスペンサ２０の能力差を無くすことができる。すなわち、本実施例に係る飲料ディスペンサ２０は、関東地方に設置された場合と関西地方に設置された場合とで同一能力を発揮することが保証される。
【００２８】
【実施例の作用】
次に、前述した実施例に係る飲料ディスペンサの作用について説明する。
【００２９】
本実施例に係る飲料ディスペンサ２０で、原液を希釈した飲料を容器３１に抽出する場合、図示しない抽出スイッチをオンすることで、電装箱２５内の制御回路がポンプ３７の駆動モータやポンプモータ２６のモータ駆動部に夫々所要容量の抽出駆動指令を出力する。この指令を受けた各モータ駆動部は、夫々対応するモータに対して直流電力を印加し、各モータを必要量だけ回転させる。
【００３０】
前記ポンプ３７が回転すると、該ポンプ３７は一回の原液抽出量だけ原料パック３０から原液を抽出し、これを注ぎ口３８に吐き出す。このとき同時にモータ２６が回転し、モータ２６が吸込管４４からタンク２３内の飲料を容器３１の一杯分だけ吸引し、その飲料を注出配管４５内に押し込む。これにより、注出配管４５内にあった一杯分の飲料が逆止弁４６のバネ圧に抗して配管３９から注ぎ口３８に吐き出され、ここで原液を希釈して前記容器３１に注がれる。
【００３１】
前記タンク２３内の温水や冷水等の飲料は、常時、オーバーフロー管４３の上面位置で決まる水位近辺に保たれるように制御されているが、飲料注出を繰り返していると、原料パック３０内の原液はなくなってくる。原料パック３０が空になったことを、前記透明な開閉カバー３３を通して目視で確認した場合、原料パック３０を新しいものと交換する必要が生じる。
【００３２】
この場合、先ず、開閉カバー３３を手前側に持ち上げることで開放する。そして、次に、ジョイント４０のハンドル４０ｂを開位置から閉位置にする。これにより、ハンドル先端部４０ｃとストッパ３７ａとの係合が解除されるので、ジョイント４０の先端部４０ｄを抽出機構部３５の接続口３６から取り外すことができる。このとき、ジョイント４０は閉塞状態となっているため、原料パック３０内に残留していた原液が漏れ出ることはない。
【００３３】
前記原料パック３０を前面パネル２１から取り外した後は、ナット４０ａを回してジョイント４０を原料パック３０から取り外し、このジョイント４０を新しい原料パック３０にナット４０ａで取り付ける。このとき、原料パック３０内やジョイント４０内に空気が入らないようにハンドル４０ｂを開閉しながら取付作業を行ない、ジョイント４０の取り付け終了時にはハンドル４０ｂを閉位置とする。
【００３４】
そして、図２に示す原料パック３０の上端縁に設けられている穴３０ｂを、前面パネル２１の上端に固設されているフック２７に引っ掛けて吊り下げ、ジョイント４０の先端部４０ｄを抽出機構部３５の接続口３６に挿入する。このとき、ジョイント４０は閉状態を保っているため、原液がジョイント４０から漏れ出ることはない。そして、ハンドル４０ｂを回動してハンドル先端部４０ｃをストッパ３７ａに係合させ、開位置とする。これにより、再び原液の希釈飲料の抽出が可能となる。
【００３５】
このように、本実施例では、コック式の開閉弁を直状配管のジョイント４０に設け、原料パック交換時にはジョイント４０を閉塞させるため、交換時に原液が漏れることがなくなる。また、ジョイント４０と抽出機構部３５との接続作業時に空気が原料パック３０内に入ることはないから、原料パック３０内の原液を残量無く容積式ポンプ３７で抽出可能となる。更に、直状配管でしかもコック式の開閉弁を採用したため、ジョイント４０の原料通路に詰まりが発生する構造物がなく、原液の容積式ポンプ３７により定量抽出することができる。
【００３６】
また、本実施例では、ジョイント４０に設けたコック式開閉弁のハンドル４０ｂを開位置としたときジョイント４０を抜去不能とするストッパ３７ａにハンドル４０ｂの先端部４０ｃを係合させる構成としているため、飲料ディスペンサ２０を飲料注出のために使用しているときに原料パック３０が抽出機構部３５から抜けることがなくなり、飲料ディスペンサ２０に対する信頼性が向上する。
【００３７】
【発明の効果】
以上に述べた如く、本発明に係る飲料ディスペンサによれば、原料パックに連結したジョイントにコック式開閉弁を設けたから、該パックの抽出機構部に対する取り付けおよび取り外し作業に際して原料パック内の原料漏れを無くすことができる。また原料パック内に空気が入るのも防止できるから、原料パック内の原液を残量無く抽出することが可能となる。更に、ジョイントに設けたコック式開閉弁の開閉操作を行なうハンドルを開位置にしたとき、該ハンドルと抽出機構部のストッパとが係合し、ジョイントを抽出機構部から抜去不能とするよう構成したから、作業者が不用意に原料パックを取り外して原料漏れを招くのを防止し得る。
【図面の簡単な説明】
【図１】本発明の実施例に係る飲料ディスペンサの概略構成図である。
【図２】実施例に係る原料パックにジョイントを取り付けた状態を示す正面図である。
【図３】実施例に係る抽出機構部にジョイントを取り付けた状態を一部断面で示す側面図である。
【図４】実施例に係る抽出機構部にジョイントを取り付けた状態を示す正面図である。
【図５】従来の技術に係る飲料ディスペンサの概略構成図である。
【図６】図５に示す原料パックに従来のジョイントを取り付けた状態を示す側面図である。
【符号の説明】
３０原料パック，３１容器，３５抽出機構部，３７容積式ポンプ
３７ａストッパ，４０ジョイント，４０ｂハンドル
【図１】
2004010057.tif 000003
【図２】
2004010057.tif 000004
【図３】
2004010057.tif 000005
【図４】
2004010057.tif 000006
【図５】
2004010057.tif 000007
【図６】
2004010057.tif 000008